(57)【要約】      （修正有）【課題】屋外で使用するバーベキューコンロをテーブルと一体にして楽に携帯でき、ネジ、工具等を使用せず安易に分解、組み立てが出来、安全であること。【解決手段】テーブル付側板（Ａ）（Ａ”）は、足受けボックス（Ｋ）と炭受けスライドレール（ヘ）を擁し、それぞれを組み入れ、テーブル付バーベキューコンロとなる。足（ほ）に下部横さん（Ｈ）（Ｉ）を組み入れて補強し、足受けボックスには、補強とテーブル機能を持った上部横さん（Ｆ）（Ｇ）を組み入れた。【選択図】図１
0003110067.tif 000002
【実用新案登録請求の範囲】
【請求項１】
本考案は、テ−ブル（Ｋ），テ−ブル側板（Ａ）（Ｂ），上部焼き用鉄板（Ｃ），炭入れ容器（Ｄ），上部横さん（Ｆ）（Ｇ），下部横さん（Ｈ）（Ｉ）で構成される。これらはそれぞれ分離、独立しているが、不必要時には炭入れ容器二収納し、必要時に組み立ててバ−ベキュウコンロとして機能する。その際に、ネジ，工具等を使わずに組み立てられ、収納するとコンパクトになる携帯に便利な簡易組立式バ−ベキュウコンロである。
【請求項２】
本考案のテ−ブル側板は、両側にテ−ブル足受けボックス（い）（ろ）（は）（に）を有し、それに足（ほ）を組み入れ、足（ほ）に有したミゾに上部横さん、下部横さんを組み入れ固定し、一つのテ−ブルとなす。又、テ−ブル側板は二重構造になっており、外部に熱が伝わらず、火傷しない安全なテ−ブル付簡易組立式バ−ベキュウコンロである。
【請求項３】
本考案のテ−ブル側板に係止したスライドレ−ル（へ）により炭入れ容器（Ｄ），カス受け容器（Ｅ）は、上部焼き用鉄板（Ｃ）をはずさずに横よりスライドさせて炭及びカスの排出、挿入ができるテ−ブル付簡易組立式携帯バ−ベキュ−コンロである。
【考案の詳細な説明】
【考案の属する技術的分野】
【０００１】本考案は屋外におけるバ−ベキュ−コンロとテ−ブルに関するものである。
【背景技術】
【０００２】従来の屋外におけるバ−ベキュ−コンロのあっては、焼肉鉄板のみの物や箱形容器式の物があるが、いずれもテ−ブルは別設備であって、携行するのに大変不便であった。屋外のバ−ベキュ−にあってはコンロ，テ−ブル，レジャ−ク−ラ−，食器等が必要な物であるが、これを一つにした物がなかった。
【考案が解決しようとする課題】
【０００３】従来の技術でも述べたが、屋内用のテ−ブルコンロはあるが、屋外で使用するものはなく、これを解決しようと考案したものである。これを実現するために、分割できて簡易に組み立てられる事、携帯に楽な事、安全な事を考えて考案した。
【課題を解決するための手段】
【０００４】ただ単にテ−ブルの真中にコンロを入れたのでは、屋外で使う金属式であっては、コンロの熱がテ−ブルに伝わり危険である。又、テ−ブルを大きくすれば携帯に不便であるこれを解決するために側板を設け二重にした。又、両側に足受けボックスを設け足を脱着させ組み立てを容易にした。
【０００５】本考案は、焼けている鉄板をはずさなくても、燃料の補給、消化が出来るように、コンロ本体をスライドさせて取り外せるようにした。カス受け容器も同様である。このためテ−ブル側板を短辺側には設けず、組み立て補強用に、上、下の横さんとした。
又、上部横さんは、テ−ブルも兼ねる事が出来る。この横さん（Ｆ〜Ｉ）はテ−ブル足に有したミゾ内に固定される。下部横さん（Ｈ）（Ｉ）は、テ−ブル足の接続用として高さ調整も出来る。
【０００６】本考案はテ−ブル板（Ｋ）と側板（Ａ）が分離する様にして、収納を楽にした。又、テ−ブル板下に物入れ部を設け、小物入れ等に利用出来るようにした。
【考案実施の形態】
【０００７】図面を参照して説明する。
４本のテ−ブルの足（ほ）を下部横さん（Ｈ）〜（Ｉ）に組み入れる。片方の下部横さんに組み入れた二本の足を、テ−ブル側板（Ａ）（Ｂ）に組み入れる。その次に、上部横さん（Ｆ）（Ｇ）を足受けボックス（い）上部にそれぞれ入れる。この時点で四角の立方体となる。更に順に下より、炭入れ容器（Ｄ），焼き用鉄板（Ｃ）を組み入れる。最後にテ−ブル（Ｋ）を側板の切り込み溝に組み入れて完成する。
この様に、工程数も少なく簡単に組み立てが出来る。
【考案の効果】
【０００８】上述の通り、簡単に組み立てられ、分解も楽で、収納も容易である。又、一つの容器内に収納されるので、持ち運びに便利である。又、コンロを囲む四辺が二重の板になっているので、熱が外部に伝わりにくく安全で熱効率も良い。更に、鉄板外辺に設置したテ−ブルにより調理前後の物を置く事が出来て、焼きながら調理することが容易である。
以上の様に、テ−ブルとコンロを別々に運ぶことが無く、後始末後、一緒に収納して保管できるので、スペ−スも少なくて済む。
【図面の簡単な説明】
【０００９】図１は、組み立て後の立体図である。
図２は、各部の正断面図である。
図３は、各部の側断面図である。
【符号の説明】
（Ａ）（Ｂ）  テ−ブル側板        （Ｃ）        上部焼き用鉄板
（Ｄ）        炭入れ容器          （Ｆ）（Ｇ）  上部横さん
（Ｈ）（Ｉ）  下部横さん          （Ｋ）        テ−ブル
（い）（ろ）（は）（に）            足受けボックス
（ほ）        テ−ブル足          （ほ）        スライドレ−ル
【図１】
0003110067.tif 000003
【図２】
0003110067.tif 000004
【図３】
0003110067.tif 000005
【手続補正書】
【提出日】平成16年3月13日(2004.3.13)
【手続補正１】
【補正対象書類名】実用新案登録請求の範囲
【補正対象項目名】全文
【補正方法】変更
【補正の内容】
【実用新案登録請求の範囲】
【請求項１】
本考案は、テーブル付側板（Ａ）（Ａ”），上部焼き用鉄板（Ｃ），炭入れ容器（Ｄ），上部横さん（Ｆ）（Ｇ），下部横さん（Ｈ）（Ｉ）で構成しており、これらはそれぞれ分離、独立しているが、活用後は炭入れ容器（Ｄ）に収納するテーブル付簡易組立式バーベキューコンロである。
【請求項２】
本考案のテーブル付側板（Ａ）（Ａ”）は、二重構造を有し、両端にテーブル足受けボックス（い〜に）を配し、それぞれに足（ほ）を組み入れ、足に有したミゾに下部横さん（Ｈ）（Ｉ）を組み入れ後、上部横さん（Ｆ）（Ｇ）を組み入れて完成の、テーブルとコンロが一体でもテーブルに熱が伝わらないテーブル付簡易組立式携帯バーベキューコンロである。
【請求項３】
本考案のテーブル側板に係止したスライドレール（ヘ）により炭入れ容器（Ｄ）カス受け容器（Ｅ）は、上部焼き用鉄板（Ｃ）をはずさずに横よりスライドさせて炭及びカスの排出、挿入ができる様にした請求項１．記載の、テーブル付簡易組立式携バーベキューコンロである。
【手続補正２】
【補正対象書類名】明細書
【補正対象項目名】全文
【補正方法】変更
【補正の内容】
【考案の詳細な説明】
【０００１】
【考案の属する技術的分野】
本考案は屋外におけるバーベキューコンロとテーブルに関するものである。
【０００２】
【背景技術】従来の屋外におけるバーベキューコンロにあっては、焼肉鉄板のみの物や箱形容器式の物があるが、いずれもテーブルは別設備であって、携帯するのに大変不便であった。屋外のバーベキューコンロにあっては、コンロ、テーブル、レジャークーラー、食器等が必要な物であるが、これらを一つにした物がなかった。【０００３】
【考案が解決しようとする課題】
従来の技術でも述べたが、屋内用のテーブルコンロはあるが、屋外で使用するものはなく、これを実現するために、分割できて簡易にくみたてられる事、携帯に楽な事、安全な事を考えて考案した。《課題を解決するための手段】ただ単にテーブルの真中にコンロを入れたのでは、屋外で使う金属式であっては、コンロの熱がテーブルに伝わり危険であり、テーブルを大きくすれば携帯に不便であるのでこれを解決するために側板を設け二重にして、両端に足受けボックスを設け足を脱着させ組み立てを容易にした。
【０００５】本考案は、焼けている鉄板をはずさなくても、燃料の補給、消火が出来るようにコンロ本体と、カス受け容器をスライドさせて取り外せるようにして、組み立て補強用に上下の横さんを配した。上部横さん（Ｆ）（Ｉ）は、テーブルも兼ねる事が出来、テーブル足受けボックス（い〜に）に固定され、下部横さん（Ｈ）（Ｉ）は、テーブル足の接続用として高さ調整もできる。
【０００６】テーブル付側板（Ａ）（Ａ”）のテーブル板下に物入れ部を設け、小物入れ等に利用でき、分解後は、ここに下部横さん（Ｈ）（Ｉ），足（ほ）を収納し、それを炭入れ容器（Ｄ）に収納し、コンパクトにして携行が楽になるようにした。
【０００７】
【考案実施の形態】
図面を参照して説明する。４本のテーブルの足（ほ）を下部横さん（Ｈ）（Ｉ）に組み入れる。片方の下部横さんに組み入れた二本の足を、テーブル付側板（Ａ）（Ａ”）に配置してある足受けボックス（い〜に）に組み入れる。その次に、上部横さん（Ｆ）（Ｇ）を足受けボックス（い〜に）上部にそれぞれ入れる。この時点で四角の立方体となる。更に順に下より、炭入れ容器（Ｄ），焼き用鉄板（Ｃ）を組み入れる。この様に、工程数も少なく簡単に組み立てが出来る。
【０００８】
【考案の効果】
上述の通り、簡単に組み立てられ、分解も楽で、収納も容易である。又、一つの容器内に収納されるので、持ち運びに便利である。又、コンロを囲む四辺が二重の板になっているので、熱が外部に伝わりにくく安全で熱効率も良い。更に、鉄板外辺に設置したテーブルにより調理前後の物を置くことが出来て焼きながら調理することが容易である。以上の様に、テーブルとコンロを別々に運ぶことがなく、後始末後、一緒に収納して保管できるので、スペースも少なくてすむ。
【０００９】
【図面の簡単な説明】
【図１】図１は、組み立て後の立体図である。
【図２】図２は、各部の正断面図である。
【図３】図３は、各部の側断面図である。
【符号の説明】
（Ａ）（Ａ”）  テーブル付側板        （い）（ろ）（は）（に）  足受けボックス      （Ｃ）      上部焼き用鉄板                  （ほ）          テーブル足      （Ｄ）      炭入れ容器                      （へ）          スライドレール  （Ｆ）（Ｇ）    上部横さん  （Ｈ）（Ｉ）    下部横さん